(57)【要約】【課題】どの画面で階層メニューが表示可能であるかがユーザにとって一目瞭然であり、操作に不慣れなユーザが簡単に操作することを可能とするユーザインターフェイスを提供する。すなわち、操作性が良好でかつ小型のユーザインターフェイスを提供することを目的とする。【解決手段】第１の画面と第２の画面にリンクするボタンを含むメイン画面を表示するユーザインターフェイスであって、第１の画面には階層メニューを表示するためのボタンを表示し、第２の画面には階層メニューを表示するためのボタンを表示しない。【選択図】　　　　図４
2004028637.tif 000002
【特許請求の範囲】
【請求項１】
第１の画面と第２の画面にリンクするボタンを含むメイン画面を表示するユーザインターフェイスであって、
第１の画面には階層メニューを表示するためのボタンを表示し、
第２の画面には階層メニューを表示するためのボタンを表示しないことを特徴とするユーザインターフェイス。
【請求項２】
第１の画面は記憶検体画面または精度管理画面またはメンテナンス画面または設定画面であり、第２の画面は測定画面または試薬交換画面または状態表示画面またはシャットダウン画面である請求項１記載のユーザインターフェイス。
【請求項３】
画面がタッチパネル式ディスプレイで構成される請求項１記載のユーザインターフェイス。
【請求項４】
第１および第２の画面が第１、第２、第３領域からなり、第１画面においては、階層メニューを表示するためのボタンが第３領域に表示され、階層メニューが第２領域に表示される請求項１記載のユーザインターフェイス。
【請求項５】
第１領域は測定開始ボタンを配置するための領域である請求項４記載のユーザインターフェイス。
【請求項６】
測定開始ボタンは測定画面でのみ有効である請求項５記載のユーザインターフェイス。
【請求項７】
請求項１乃至６のいずれかに記載のユーザインターフェイスを備えた分析装置。
【発明の詳細な説明】
【０００１】
【発明の属する技術分野】
この発明は、例えば血液分析装置、尿分析装置、検体中の細菌の有無を検出する細菌検出装置などの分析装置に好適に用いることのできるユーザインターフェイスに関する。
【０００２】
【従来の技術】
近年、分析装置の小型化が進んでいる。分析装置には通常、操作者からの測定指示などを受け付け、分析結果を表示するユーザインターフェイスが備えられており、分析装置の小型化に伴ってユーザインターフェイスも小型化されている。
【０００３】
例えば、特開平９−６５４５２に記載されている医療福祉施設管理システムに用いられているユーザインターフェイスにおいては、平面図上にポップアップ画面を展開するボタンを表示することによって、ユーザインターフェイスの小型化を図っている。
【０００４】
【発明が解決しようとする課題】
しかし、ポップアップ画面や階層メニューは、少ないスペースに多くのメニューを表示できるという利点がある一方、ポップアップ画面の裏側に表示されている画面を隠してしまうという欠点がある。
【０００５】
そこでこの発明は、必要なときだけ階層メニューを表示するためのボタンを表示することによって、操作性が良好でかつ小型のユーザインターフェイスを提供することを目的とする。
【０００６】
【課題を解決するための手段】
上記課題を解決するため、この発明は、第１の画面と第２の画面にリンクするボタンを含むメイン画面を表示するユーザインターフェイスであって、第１の画面には階層メニューを表示するためのボタンを表示し、第２の画面には階層メニューを表示するためのボタンを表示しないことを特徴とするユーザインターフェイスを提供する。
この発明のユーザインターフェイスは、上記のような構成とすることで、どの画面で階層メニューが表示可能であるかがユーザにとって一目瞭然となり、操作に不慣れなユーザが簡単に操作することを可能とした。
【０００７】
【発明の実施の形態】
【０００８】
この発明のユーザインターフェイスは、第１の画面は記憶検体画面または精度管理画面またはメンテナンス画面または設定画面であり、第２の画面は測定画面または試薬交換画面または状態表示画面またはシャットダウン画面であってもよい。
画面がタッチパネル式ディスプレイで構成されてもよい。これによってこの発明のユーザインターフェイスはさらに小型化されるとともに、操作性が向上する。
第１および第２の画面が第１、第２、第３領域からなり、第１画面においては、階層メニューを表示するためのボタンが第３領域に表示され、階層メニューが第２領域に表示されてもよい。
第１領域は測定開始ボタンを配置するための領域であってもよい。
測定開始ボタンは測定画面でのみ有効であってもよい。これによって誤操作を防止することができる。
測定開始ボタンは、有効な状態で選択されると測定を中止するための測定中止ボタンに変更されるよう構成してもよい。
この発明のユーザインターフェイスを分析装置に備えてもよい。
【０００９】
【実施例】
この発明のユーザインターフェイスは、血液分析装置（例えば、ＸＥ−２１００（シスメックス株式会社製））、尿分析装置（例えばＵＦ−１００（シスメックス株式会社製））など、種々の分析装置に適用できる。ここでは、この発明のユーザインターフェイスを細菌検出装置に適用した場合を例にとり説明する。
【００１０】
細菌検出装置の構成
図１は、細菌検出装置１００の概観を示す斜視図である。細菌検出装置本体１には、ユーザインターフェイス２が組み込まれている。ユーザインターフェイス２は、後に詳述するが、タッチパネルで構成されており、ユーザからの各種操作命令の入力を受け付けるとともに、分析結果などの各種情報を表示することができる。タッチパネルは、液晶等で構成される画面に感圧センサが取り付けられたものである。そして画面上の特定領域にボタン等のアイコンが表示され、測定者が、そのアイコンの表示されている領域に触れると、それを上記特定領域に対応した感圧センサが感知して信号を発する仕組みになっている。
細菌検出装置本体１には、検体の分析を行うのに必要な試薬として、シース液３、染色液４がチューブを介して接続されている。また、細菌検出装置本体１には、検体測定後に排出される排液を貯留するための排液タンク５がチューブを介して接続されている。
【００１１】
図２は細菌検出装置１００の構成を示す図である。この図に示すように細菌検出装置１００は、尿などの検体を収容するキュベット７０（キュベットの一例を図３に示す）をセットする検体セットテーブル６、キュベット７０を加温する加温部１１、キュベット７０を廃棄するキュベット廃棄部１２、希釈・染色などの処理を終えた検体を収容するキュベット７０を設置する測定前検体設置部１３、測定前検体設置部１３に設置されたキュベット７０から検体を吸引し、測定する測定部１４、検体セットテーブル６に設置された検体を希釈・染色して測定部１４に吸引させる準備をするとともに、キュベット７０を所定位置に移送する検体調整機構７、液体を所定量だけ移送させる定量ポンプ１０、各部に圧力を供給する空圧源１６、ユーザインターフェイス２、各部の動作を制御する制御装置１７などから成る。検体調整機構７には、キュベット７０を移送するためのキャッチャ８、検体や試薬を吸引・吐出するピペット９が備えられている。測定部１４には、測定前検体設置部１３に設置されたキュベット７０から検体を吸引するためのピペット１５が備えられている。
なお、各部を接続する電気配線、液体の流路、圧力を供給する圧力チューブについては図示を省略する。
【００１２】
ユーザインターフェイスの構成
図４はユーザインターフェイス２の機能を説明するためのブロック図である。ここで説明する機能は、制御の中心となるＣＰＵ、ＢＩＯＳ等の基本プログラム等を記憶するＲＯＭ、作業領域として働くＲＡＭ、アプリケーションやデータを記憶する機能を有するＨＤＤ（ハードディスク）またはコンパクトフラッシュメモリ（登録商標）、入力手段および表示手段を兼ねるタッチパネル式ディスプレイ等を用いて実現される。
【００１３】
ユーザインターフェイス２は、図４に示すように、メイン画面表示部３０、リンクボタン表示部３１、第１領域表示部３３、固定ボタン表示部３４、固定ボタン記憶部３５、実行可能判断部３８、第２領域表示部３９、画面表示部４０、画面選択部４１、画面記憶部４２、階層メニュー表示部５１、階層メニュー選択部５２、第３領域表示部５３、選択ボタン表示部５４、ボタン選択部５５、階層メニュー記憶部５６、選択ボタン記憶部５７、入力部２００と表示画面２０１を備えている。
入力部２００と表示画面２０１はタッチパネル式ディスプレイを構成している。
【００１４】
メイン画面表示部３０は、表示画面２０１にメイン画面（図５参照）を表示させる。メイン画面には、後述する各種画面（測定画面（図６参照）、記憶検体画面（図７参照）、精度管理画面（図８参照）、試薬交換画面（図９参照）、状態表示画面（図１０参照）、メンテナンス画面（図１１参照）、設定画面（図１２参照）、シャットダウン画面（図１３参照））にリンクするためのリンクボタン１０１、１０２，１０３，１０４，１０５，１０６，１０７，１０８（以下、リンクボタン１０１〜１０８と表記する）がリンクボタン表示部３１によって追加される。リンクボタン１０１〜１０８には各種画面（図６〜図１３参照）にリンクするためのコマンドが対応付けられて記憶されている。
なお、以下で説明するボタンについても所定のコマンドが対応付けられて記憶されている。
【００１５】
各種画面（図６〜図１３参照）は、画面上部の第１領域１２０、その下に画面の大半を占める第２領域１２１、その下の第３領域１２２によって構成されている（図６参照）。第１領域１２０は第１領域表示部３３、第２領域１２１は第２領域表示部３９、第３領域１２２は第３領域表示部５３によって表示される。
【００１６】
第１領域表示部３３は、固定ボタン表示部３４を備え、固定ボタン表示部３４は固定ボタン記憶部３５から所定のボタン（ヘルプボタン３６とスタートボタン３７）を抽出し、表示する。
実行可能判断部３８はスタートボタン３７が選択されたとき、検体の測定開始が可能か否かを判断する。
【００１７】
第２領域表示部３９は、画面表示部４０を備える。画面選択部４１は、選択されたリンクボタン１０１〜１０８に従って画面記憶部４２からいずれかの画面を選択し、表示すべき画面を画面表示部４０に伝達する。画面表示部４０はその画面を表示する。
画面記憶部４２には、各種画面（図６〜図１３参照）の第２領域１２１に表示される画面として検体表示部１３０、テンキー１３１、記憶検体表示部１４０、精度管理画面１５０などが記憶されている。
【００１８】
第２領域表示部３９はさらに、階層メニュー表示部５１を備える。階層メニュー選択部５２は、階層メニュー記憶部５６からいずれかの階層メニューを選択し、表示すべき階層メニューを階層メニュー表示部５１に伝達する。階層メニュー表示部５１はその階層メニューを表示する。階層メニューについては、後に詳細を述べる。
【００１９】
第３領域表示部５３は、選択ボタン表示部５４を備える。ボタン選択部５５は、選択ボタン記憶部５７から表示すべきボタン（ファンクションボタン５８、マークボタン５９など）を選択し、表示すべきボタンを選択ボタン表示部５４に伝達する。選択ボタン表示部５４はそのボタンを表示する。
【００２０】
ユーザインターフェイスの動作フロー
次にユーザインターフェイス２の動作フローについて説明する。
図１８はユーザインターフェイス２の動作フロー図である。
【００２１】
（ｓｔ１００）
細菌検出装置１００の電源が投入されると、ユーザインターフェイス２にも電力が供給され、ＯＳ（オペレーションシステム：この実施例ではＯＳとしてＬＩＮＵＸを使用）が立ち上がり、その後に、細菌検出装置１００の制御プログラムがコンパクトフラッシュメモリ（登録商標）から読み出され、処理が開始される。
【００２２】
（ｓｔ１０２、ｓｔ１０１）
制御プログラムが立ち上がると、「測定画面」が表示される（ｓｔ１０２）。図６は測定画面を示す図である。測定画面については後で詳述するが、この画面中のリターンボタン１３５をユーザが選択すると、「メイン画面」が表示される（ｓｔ１０１）。図５はメイン画面を示す図である。メイン画面において、画面の上部に第１領域１２０、その下に画面の大半を占める第２領域１２１、その下に第３領域１２２が表示されている。
この画面のうち、第２領域１２１には各種画面（図６〜図１３参照）へリンクするためのリンクボタン１０１〜１０８が表示されている。
【００２３】
なお、リンクボタン１０１には画像部１０１ａに文字部１０１ｂが付加されている。画像部１０１ａは、そのボタンに対応するコマンドの内容を直感的に理解しやすくするためのものであり、コマンドにより実行する機能に関連した絵が採用されている。文字部１０１ｂは、コマンドの内容を簡潔な文字で表示している。その他のリンクボタン１０２，１０３，１０４，１０５，１０６，１０７，１０８についても同様である。従ってユーザインターフェイス２は、ユーザにとって、ボタンに対応するコマンドの内容をその右脳および左脳の両方で理解することができ、きわめて使いやすいものとなっている。
【００２４】
（ｓｔ１０２）
メイン画面（図５）において、リンクボタン１０１が選択されると、画面は図６に示す測定画面へと変化する。この画面は検体の測定を行うために使用される。
【００２５】
第１領域１２０には、ユーザに装置の使用方法等を説明するためのヘルプ画面（図示せず）にリンクするためのヘルプボタン３６、細菌検出装置１００の測定動作を開始させるためのスタートボタン３７、細菌検出装置１００の状態を表示するための状態表示部１２５（この図には、細菌検出装置が測定開始可能であることを示す“Ｒｅａｄｙ”が表示されている）が表示されている。なお、ヘルプボタン３６、スタートボタン３７は固定ボタン記憶部３５から抽出される（図４参照）。
検体の測定開始が可能かどうかの判断は、リンクボタン１０１が選択されたことを実行可能判断部３８が認識し、細菌検出装置１００の状態を確認することにより行われる。その結果、測定開始可能であれば、状態表示部１２５に“Ｒｅａｄｙ”と表示させる。
この状態でユーザがスタートボタン３７を選択すれば測定を開始できる。
【００２６】
第２領域１２１には、検体番号やその検体の設置場所などを表示するための検体表示部１３０と、検体番号などを入力するために使用するテンキー１３１などが表示されている。なお、これらの画面は、リンクボタン１０１が選択されたことを画面選択部４１が認識することにより画面記憶部４２から抽出される（図４参照）。
【００２７】
第３領域１２２には、測定モードを変更するためのモードボタン１３３（この細菌検出装置１００には、測定モードとして検体中の白血球の数を表示するモードと表示しないモードがある）、検体表示部に表示されている検体番号を１つずつインクリメントするためのインクリメントボタン１３４、メイン画面（図５）にリンクするためのリターンボタン１３５が表示されている。なお、これらのボタンは、リンクボタン１０１が選択されたことをボタン選択部５５が認識することにより選択ボタン記憶部５７から抽出される（図４参照）。
【００２８】
（ｓｔ１０３）
メイン画面（図５）において、リンクボタン１０２が選択されると、画面は図７に示す記憶検体画面へと変化する。この画面は記憶検体の処理を行うために使用される。
【００２９】
第１領域１２０には、測定画面（図６）と同様にして、ヘルプボタン３６、スタートボタン３７、状態表示部１２５が表示される。
但し、この画面においては、ユーザがスタートボタン３７を選択しても細菌検出装置１００は測定動作を開始しない（すなわちこのスタートボタン３７は無効である）。なお、スタートボタン３７は、リンクボタン１０２が選択されたことを実行可能判断部３８（図４）が認識することによって有効／無効が決定される。
【００３０】
第２領域１２１には、測定済みの検体の測定結果の一覧表を表示するための記憶検体表示部１４０などが表示される。なお、この画面は、リンクボタン１０２が選択されたことを画面選択部４１が認識することにより画面記憶部４２から抽出される（図４参照）。
【００３１】
第３領域１２２には、ファンクションボタン５８、マークボタン５９、リターンボタン１３５が表示されている。
ファンクションボタン５８は、階層メニューを表示させるためのボタンである。ユーザがファンクションボタン５８を選択すると、図１４に示すように階層メニュー１４４が第２領域１２１に表示される。なお、この階層メニュー１４４は、リンクボタン１０２が選択されたことを階層メニュー選択部５２が認識することにより階層メニュー記憶部５６から抽出される。階層メニューは第１層１４４ａ、第２層１４４ｂ、第３層（図中で選択したボタン（消去ボタン１４５ｂ）の場合は表示されない）の３層構造となっている。第１層１４４ａには、出力ボタン１４５ａ、消去ボタン１４５ｂ、検証ボタン１４５ｃが配置されている。
【００３２】
図１５は階層メニュー１４４を説明する説明図である。この図に示すように、ファンクションボタン５８が選択されると第１層１４４ａに出力ボタン１４５ａ、消去ボタン１４５ｂ、検証ボタン１４５ｃが表示される。出力ボタン１４５ａが選択されると、第２層に全検体ボタン、選択検体ボタン、最新検体ボタン、キャンセルボタンが表示される。全検体ボタンが選択されるとＧＰグラフボタン、ＧＰリストボタン、ＤＰボタン、ＨＣボタンが表示される。同様にして、消去ボタン１４５ｂが選択されると、第２層に全検体ボタン、選択検体ボタン、最新検体ボタンが表示される。また、検証ボタン１４５ｃが選択されると、第２層に選択検体ボタン、最新検体ボタンが表示される。
【００３３】
なお、出力ボタン１４５ａは、測定データを装置外部に出力するために使用される。消去ボタン１４５ｂは、測定データを消去するために使用される。検証ボタン１４５ｃは、ユーザによる検証が終了した測定データにマークを付けるために使用される。全検体ボタンは全ての測定データを選択するために使用され、選択検体ボタンは、マークの付いた測定データ（図７においては測定データ１４６）のみを選択するために使用され、最新検体ボタンは最新の測定データを選択するために使用され、キャンセルボタンは出力中の測定データの出力を中止するために使用される。ＧＰグラフボタンは、グラフィックプリンター（ＧＰ）に測定データのグラフを出力するために使用され、ＧＰリストボタンはグラフィックプリンター（ＧＰ）に測定データのリストを出力するために使用され、ＤＰボタンはデータプリンター（ＤＰ）に測定データを出力するために使用され、ＨＣボタンはホストコンピュータ（ＨＣ）に測定データを出力するために使用される。
マークボタン５９は測定データの選択を行い、マークを付ける（図７においては測定データ１４６にマークが付けられている）ために使用される。
リターンボタン１３５は、メイン画面（図５）に戻るために使用される。
【００３４】
（ｓｔ１０４）
メイン画面（図５）において、リンクボタン１０３が選択されると、画面は図８に示す精度管理画面へと変化する。この画面は精度管理を行うために使用される。
【００３５】
第１領域１２０には、測定画面（図６）と同様にして、ヘルプボタン３６、スタートボタン３７、状態表示部１２５が表示される。但し、この画面においては、ユーザがスタートボタン３７を選択しても細菌検出装置１００は測定動作を開始しない（すなわちこのスタートボタン３７は無効である）。なお、スタートボタン３７は実行可能判断部３８（図４）によって有効／無効が決定される。
【００３６】
第２領域１２１には、精度管理の結果を示す精度管理画面１５０などが表示される。なお、この画面は、リンクボタン１０３が選択されたことを画面選択部４１が認識することにより画面記憶部４２から抽出される（図４参照）。
【００３７】
第３領域表示部１２２には、ファンクションボタン５８、ファイルボタン１５１、設定ボタン１５２、リターンボタン１３５が表示されている。
ファイルボタン１５１は、精度管理の結果を複数のファイルに保存している場合にそのファイルを選択するために使用される。
設定ボタン１５２は、精度管理の方法など各種の設定をするために使用される。
ユーザがファンクションボタン５８を選択すると、図１６に説明図を示す階層メニューが第２領域１２１に表示される。この階層メニューは精度管理の結果の装置外部への出力や精度管理の結果の消去に用いられる。
【００３８】
（ｓｔ１０５）
メイン画面（図５）において、リンクボタン１０４が選択されると、画面は図９に示す試薬交換画面へと変化する。
この画面は、試薬交換をしたときに、試薬のロット番号や交換日の入力をするために使用される。
なお、画面の基本的な構成は測定画面や記憶検体画面などと同様であるので詳細な説明は省略する。
【００３９】
（ｓｔ１０６）
メイン画面（図５）において、リンクボタン１０５が選択されると、画面は図１０に示す状態表示画面へと変化する。
この画面は、細菌検出装置１００の各部の温度や圧力を確認するために使用される。
なお、画面の基本的な構成は測定画面や記憶検体画面などと同様であるので詳細な説明は省略する。
【００４０】
（ｓｔ１０７）
メイン画面（図５）において、リンクボタン１０６が選択されると、画面は図１１に示すメンテナンス画面へと変化する。
この画面は、細菌検出装置１００の各部の洗浄やテストを行うために使用される。
なお、画面の基本的な構成は測定画面や記憶検体画面などと同様であるので詳細な説明は省略する。
【００４１】
この画面でファンクションボタン５８が選択されると、図１７に説明図を示す階層メニューが第２領域１２１に表示される。
この階層メニューについて図１７を参照して説明する。ファンクションボタン５８が選択されると第１層に洗浄ボタン、復帰処理ボタン、染色液入替ボタン、タッチパネルボタン、テストボタンが表示される。洗浄ボタンが選択されると、第２層に自動洗浄ボタン、ピペットボタン、フローセルボタンが表示される。テストボタンが選択されると第２層にテーブルボタン、ＬＣＤボタン、出力ボタンが表示される。
【００４２】
自動洗浄ボタンが選択されると、第３層にシース洗浄ボタン、全洗浄ボタンが表示される。出力ボタンが選択されると第３層にＧＰグラフボタン、ＧＰリストボタン、ＤＰボタン、ＨＣボタンが表示される。
なお、シース洗浄ボタンはシース液が流れる流路のみの洗浄を行うために使用される。全洗浄ボタンは流路全体の洗浄を行うために使用される。ピペットボタンは、ピペット９，１５（図２）の洗浄を行うために使用される。フローセルボタンは、測定部１４（図２）の構成部品の１つであるフローセルの洗浄を行うために使用される。復帰処理ボタンは、エラー復帰シーケンスを実行するために使用される。染色液入替ボタンは流路中の染色液を入替るために使用される。タッチパネルボタンは、タッチパネルの校正を行うために使用される。テーブルボタンは検体セットテーブル６（図２）の動作テストを行うために使用される。ＬＣＤボタンは表示画面２０１（図４）のＬＣＤのテストを行うために使用される。ＧＰグラフボタン、ＧＰリストボタン、ＤＰボタン、ＨＣボタンは装置外部へのデータの出力が正常に行われるかどうかのテストを行うために使用される。
【００４３】
（ｓｔ１０８）
メイン画面（図５）において、リンクボタン１０７が選択されると、画面は図１２に示す設定画面へと変化する。
この画面は、外部出力のルール設定を行うためなどに使用される。
なお、画面の基本的な構成は測定画面や記憶検体画面などと同様であるので詳細な説明は省略する。
この画面でファンクションボタン５８が選択されると、図１９に説明図を示す階層メニューが第２領域１２１に表示される。設定画面では、測定結果の外部出力やプリンタや他のコンピュータとの接続方法の設定、正常値の範囲設定（限界値設定）、日付などの設定を行うことができる。
なお、プリントボタン１５０を選択することによって、設定値の一覧を印刷することも可能である。
【００４４】
（ｓｔ１０９）
メイン画面（図５）において、リンクボタン１０８が選択されると、画面は図１３に示すシャットダウン画面へと変化する。
この画面は、装置のシャットダウンを行うために使用される。
なお、画面の基本的な構成は測定画面や記憶検体画面などと同様であるので詳細な説明は省略する。
【００４５】
【発明の効果】
この発明によれば、必要なときだけ階層メニューを表示するためのボタンを表示することによって、操作性が良好でかつ小型のユーザインターフェイスを提供することができた。
【図面の簡単な説明】
【図１】細菌検出装置１００の概観を示す斜視図である。
【図２】細菌検出装置１００の構成を示す図である。
【図３】キュベット７０の斜視図である。
【図４】ユーザインターフェイス２の機能を説明するためのブロック図である。
【図５】メイン画面を示す図である。
【図６】測定画面を示す図である。
【図７】記憶検体画面を示す図である。
【図８】精度管理画面を示す図である。
【図９】試薬交換画面を示す図である。
【図１０】状態表示画面を示す図である。
【図１１】メンテナンス画面を示す図である。
【図１２】設定画面を示す図である。
【図１３】シャットダウン画面を示す図である。
【図１４】階層メニューの一例を示す図である。
【図１５】階層メニューを説明する図である。
【図１６】階層メニューを説明する図である。
【図１７】階層メニューを説明する図である。
【図１８】ユーザインターフェイス２の動作フロー図である。
【図１９】階層メニューを説明する図である。
【符号の説明】
１　細菌検出装置本体
２　ユーザインターフェイス
３　シース液
４　染色液
５　排液タンク
６　検体セットテーブル
７　検体調整機構
８　キャッチャ
９　ピペット
１０　定量ポンプ
１１　加温部
１２　キュベット廃棄部
１３　測定前検体設置部
１４　測定部
１５　ピペット
１６　空圧源
１７　制御装置
３０　メイン画面表示部
３１　リンクボタン表示部
３３　第１領域表示部
３４　固定ボタン表示部
３５　固定ボタン記憶部
３６　ヘルプボタン
３７　スタートボタン
３８　実行判断部
３９　第２領域表示部
４０　画面表示部
４１　画面選択部
４２　画面記憶部
５１　階層メニュー表示部
５２　階層メニュー選択部
５３　第３領域表示部
５４　選択ボタン表示部
５５　ボタン選択部
５６　階層メニュー記憶部
５７　選択ボタン記憶部
５８　ファンクションボタン
５９　マークボタン
７０　キュベット
１００　細菌検出装置
１０１，１０２，１０３，１０４，１０５，１０６，１０７，１０８　リンクボタン
１０１ａ　画像部
１０１ｂ　文字部
１２０　第１領域
１２１　第２領域
１２２　第３領域
１２５　状態表示部
２００　入力部
１３０　検体表示部
１３１　テンキー
１３３　モードボタン
１３４　インクリメントボタン
１３５　リターンボタン
１４０　記憶検体表示部
１４４　階層メニュー
１４４ａ　第１層
１４４ｂ　第２層
１４５ａ　出力ボタン
１５０　プリントボタン
【図１】
2004028637.tif 000003
【図２】
2004028637.tif 000004
【図３】
2004028637.tif 000005
【図４】
2004028637.tif 000006
【図５】
2004028637.tif 000007
【図６】
2004028637.tif 000008
【図７】
2004028637.tif 000009
【図８】
2004028637.tif 000010
【図９】
2004028637.tif 000011
【図１０】
2004028637.tif 000012
【図１１】
2004028637.tif 000013
【図１２】
2004028637.tif 000014
【図１３】
2004028637.tif 000015
【図１４】
2004028637.tif 000016
【図１５】
2004028637.tif 000017
【図１６】
2004028637.tif 000018
【図１７】
2004028637.tif 000019
【図１８】
2004028637.tif 000020
【図１９】
2004028637.tif 000021